(57)【特許請求の範囲】
【請求項１】
送受器を送受器受けからフックアップし、送話者が前記送受器のマイクから音声入力すると、受話者のスピーカまたは前記送受器のレシーバへ音声を送話することのできる通話装置であって、前記送話者の前記送受器受けに取り付けられ、前記送受器がフックダウンされた振動により生じる電圧をセンサー信号として発生させるフックダウン検出用の衝撃センサーと、音声信号を一定時間ミュートするため、一定時間幅の出力信号とするため、センサー信号の電圧が所定値以上あるいは所定値以下を検出するためのセンサー信号検出回路と、前記マイクから入力される衝撃音が音声信号増幅回路へ伝わらないように前記出力信号に基づきオンオフするミュート用トランジスタとを備えたことを特徴とする送受器フックダウン音抑制装置。
【発明の詳細な説明】
【０００１】
【発明の属する技術分野】
この発明は送受器フックダウン音抑制装置に係わり、特にフックダウン時に送受器と送受器受けが当たって発生する耳障りな音が、受話者に聞こえないようにする送受器フックダウン音抑制装置に関する。
【０００２】
【従来の技術】
従来、この種の送受器フックダウン音抑制装置としては、図２に示すものがあった。図２（ａ）は送受器と送受器受けの構成概念図を示し、送話者の送受器２１、送受器受け２２に取付けられたフックスイッチ２３で構成されており、送受器２１にはマイク２４が取付けられている。図２（ｂ）はブロック図を示し、送話側のマイク２４からフックスイッチ２３を介して音声信号増幅回路２５に接続され、音声信号増幅回路２５の出力は、受話側の通話装置の受話装置へと接続される。受話側の受話装置は、レシーバ信号増幅回路２６と、レシーバ信号増幅回路２６に接続された送受器２７のレシーバ２８、またはスピーカ２９で構成される。
【０００３】
このような送受器フックダウン音抑制装置において、送話者が送話側の送受器２１を送受器受け２２から持ち上げると、フックスイッチ２３が閉じ、受話側との通話が可能となる。マイク２４から音声を入力すると、電気信号に変換され音声信号増幅回路２５で音声信号が増幅され、受話側のレシーバ信号増幅回路２６に入力される。入力された音声信号は、スピーカ２９またはレシーバ２８から音声として聞こえるまでに増幅される。送話者が通話を終了するためには、送話器２１を送話器受け２２に戻すと、フックスイッチ２３が開き、受話側との通話が終了する。
【０００４】
【発明が解決しようとする課題】
ところで、従来の通話装置では、送受器を送受器受けに下ろし、フックスイッチが切れるまで通話は終了しない。このため、フックスイッチで通話が切れる前に、送受器と送受器受けが当たって発生する音は、受話側のレシーバまたはスピーカへ伝わり、受話側には耳障りに聞こえた。
【０００５】
本発明は上記のような従来の欠点を除去するためになされたもので、フックスイッチが切れる前の、送受器と送受器受けが当たって発生する耳障りな音を受話側に聞こえなくする送受器フックダウン音抑制装置を提供することを目的とする。
【０００６】
【課題を解決するための手段】
この目的を達成するため本発明の送受器フックダウン音抑制装置は、送受器を送受器受けからフックアップし、送話者が送受器のマイクから音声入力すると、受話者のスピーカまたは送受器のレシーバへ音声を送話することのできる通話装置であって、送話者の送受器受けに取り付けられ、送受器フックダウン検出用の衝撃センサーと、衝撃センサーのセンサー信号によりオンオフするミュート用トランジスタと、ミュート用トランジスタによりマイクからの音声入力がミュートされる音声信号増幅回路とを備えたものである。
【０００７】
この送受器フックダウン音抑制装置によれば、衝撃センサーより検知された、送受器と送受器受けが当たったセンサー信号でミュート回路を動作させ、その当たった音をマイクから音声信号増幅回路へ伝えずに、相手のレシーバまたはスピーカより聞こえなくすることができる。
【０００８】
【発明の実施の形態】
以下、本発明による送受器フックダウン音抑制装置の実施の形態例を図面にしたがって説明する。
【０００９】
図１（ａ）は送受器と送受器受けの構成概念図を示し、送受器１と、送受器１を受けるための送受器受け２、その送受器受け２には、衝撃センサー３とフックスイッチ１４が取付けられる。図１（ｂ）はブロック図を示し、衝撃センサー３はセンサー信号処理・ミュート回路へ接続される。センサー信号処理・ミュート回路３は、センサー信号増幅回路４、コンパレータ１６とコンパレータ１７によるセンサー信号検出回路５、２個のダイオード１８とコンデンサ１９による整流回路６、ミュート用トランジスタ７により構成される。ミュート用トランジスタ７は、送受器１のマイク８と音声信号増幅回路９の間に接続される。音声信号増幅回路９の出力は、他方の通話装置の受話回路へと接続される。受話回路はレシーバ信号増幅回路１０と送受器１１のレシーバ１２またはスピーカ１３で構成される。
【００１０】
本発明による送受器フックダウン音抑制装置の動作を以下に説明する。送話者が受話者に対して送受器１を手に持ち音声送話をしている状態で、送話者が送話を終了する場合、送受器１を送受器受け２に置く。置かれた瞬間、送受器受け２に取付けられた衝撃センサー３は、送受器１の置かれた振動により、電圧を発生する。発生した電圧はセンサー信号増幅回路４で増幅され、センサー信号検出回路５へ出力する。センサー信号は、送受器１が送受器受け２に当たる位置により正側に出力される場合と、負側に出力される場合がある。センサー信号検出回路５に入力されたセンサー信号で、正側のセンサー信号が設定された以上の電圧となると、コンパレータ１６が信号を検出し、整流回路６へ電圧を出力する。また、負側のセンサー信号が設定された以上の電圧となると、コンパレータ１７が信号を検出し、整流回路６へ電圧を出力する。これにより、どの位置に送受器１が送受器受け２に当たっても、センサー信号を検出することができる。センサー信号検出回路５からの出力電圧は、送受器１が送受器受け２に当たった瞬間のパルス出力であり、音声信号を一定時間ミュートできない。そこで、音声信号を一定時間ミュートするため、整流回路６のダイオード１８とコンデンサ１９で、一定時間幅の出力信号に変換し、ミュート用トランジスタ７を動作させる。ミュート用トランジスタ７が動作すると、マイク８からのフックダウン音が音声信号増幅回路９へ伝わらない。それにより、受話者は送話終了時の耳障りな音を聞くことが無くなる。
【００１１】
【発明の効果】
以上の説明から明らかなように、本発明による送受器フックダウン音抑制装置によれば、送話者は何も意識すること無く、送受器を置く時に発生する耳障りな音を受話者に聞かせずに終話させることができる。
【図面の簡単な説明】
【図１】（ａ）は本発明による送受器フックダウン音抑制装置を示す構成概念図。
（ｂ）は本発明による送受器フックダウン音抑制装置の一実施例を示すブロック図。
【図２】（ａ）は従来の送受器フックダウン音抑制装置を示す構成概念図。
（ｂ）は従来の送受器フックダウン音抑制装置を示すブロック図
【符号の説明】
１    ・・送受器（送話側）
２    ・・送受器受け
３    ・・衝撃センサー
７    ・・ミュート用トランジスタ
８    ・・マイク
９    ・・音声信号増幅回路
１１  ・・送受器（受話側）
１２  ・・レシーバ
１３  ・・スピーカ
【図１】
0004125815.tif 000002
【図２】
0004125815.tif 000003